(57)【要約】【課題】多数の映像表示装置の設定情報の変更時にかかるコストや手間を軽減する。【解決手段】制御端末（例えばリモートコントローラ３）は、送信要求キー３４と、その操作に応じて第１の映像表示装置から送られてくる設定情報ＳＤを受信する無線受信部３２と、設定情報ＳＤを記憶する記憶部３１と、情報送信キー３５と、それが操作されたときに記憶部３１から読み出された設定情報ＳＤを送信する無線送信部３３とを有する。第１の映像表示装置に、リモートコントローラ３からの送信要求を受けて設定情報ＳＤを無線により送信する無線送信部を有し、第２の映像表示装置は、リモートコントローラ３から送られてくる第１の映像表示装置の設定情報ＳＤで既存の設定情報を変更する。【選択図】図３
2008085523.tif 000002
【特許請求の範囲】
【請求項１】
第１および第２の映像表示装置と、
前記第１の映像表示装置を無線により遠隔制御する制御端末と、
を備え、
前記制御端末は、
前記映像表示装置の設定情報の送信要求を行う送信要求キーと、
前記送信要求キーの操作に応じて前記第１の映像表示装置から送られてくる前記設定情報を受信する無線受信部と、
前記設定情報を記憶する記憶部と、
情報送信キーと、
前記情報送信キーが操作されたときに前記記憶部から読み出された前記設定情報を送信する端末側の無線送信部と、
を有し、
前記第１の映像表示装置に、前記制御端末からの前記送信要求を受けて前記設定情報を無線により送信する無線送信部を有し、
前記第２の映像表示装置は、前記制御端末から送られてくる前記第１の映像表示装置の前記設定情報で既存の設定情報を変更する
映像表示システム。
【請求項２】
前記制御端末は、前記記憶部に前記設定情報が記憶されたときに、自身が持つ遠隔制御に関する設定を前記記憶された前記設定情報に従って変更可能である
請求項１に記載の映像表示システム。
【請求項３】
前記設定情報は、映像表示に関する機能の制限、音声に関する機能の制限、入出力に関する機能の制限、時間管理に関する機能の制限、メニューの有効と無効に関する制限の何れか一又は複数の制限の情報を含む
請求項１に記載の映像表示システム。
【請求項４】
前記設定情報は、前記映像表示装置あるいは前記制御端末に備える操作部を操作することによっては変更不可能な情報を含む
請求項１に記載の映像表示システム。
【請求項５】
表示装置本体と、
無線により前記表示装置本体の遠隔制御を行う制御端末と、
を備え、
前記制御端末は、前記表示装置本体に設定情報の送出要求を行う送信要求キーを有し、
前記表示装置本体は、
前記設定情報を記憶する記憶部と、
前記制御端末からの前記送出要求を受信する無線受信部と、
前記送出要求に応じて前記記憶部から読み出される前記設定情報を前記制御端末に送信する無線送信部と、
を有する映像表示装置。
【請求項６】
表示装置本体と、
無線により前記表示装置本体の遠隔制御を行う制御端末と、
を備え、
前記表示装置本体は、設定情報を無線により送信する無線送信部を有し、
前記制御端末は、
前記表示装置本体に前記設定情報の送出要求を行う送信要求キーと、
前記送信要求キーの操作に応じて前記表示装置本体から送られてくる前記設定情報を受信する無線受信部と、
前記設定情報を記憶する記憶部と、
情報送信キーと、
前記情報送信キーが操作されたときに前記記憶部から読み出された前記設定情報を送信する端末側の無線送信部と、
を有する映像表示装置。
【請求項７】
前記設定情報は、映像表示に関する機能の制限、音声に関する機能の制限、入出力に関する機能の制限、時間管理に関する機能の制限、メニューの有効と無効に関する制限の何れか一又は複数の制限の情報を含む
請求項５または６に記載の映像表示装置。
【請求項８】
前記設定情報は、前記映像表示装置あるいは前記制御端末に備える操作部を操作することによっては変更不可能な情報を含む
請求項５または６に記載の映像表示装置。
【請求項９】
一の映像表示装置の本体が設定情報を送信することを、無線により要求するステップと、
前記送信の要求に応じ前記本体から送信される設定情報を受信し、受信側で保持するステップと、
保持された前記設定情報により、前記一の映像表示装置以外の一または複数の他の映像表示装置の本体の設定情報を変更するステップと、
を含む映像表示装置の設定変更方法。
【発明の詳細な説明】
【技術分野】
【０００１】
本発明は、映像表示装置とその制御端末を有する映像表示システム、映像表示装置およびその設定変更方法に関する。
【背景技術】
【０００２】
例えばホテルや旅館、病院などの客室あるいは病床ごとに設置された複数のテレビジョン（ＴＶ）受像機で、ＴＶ放送を視聴する構内ＴＶ配信システムが知られている（例えば、特許文献１参照）。
この構内ＴＶ配信システムは、映像のみを楽しみたい視聴者、音声のみを聞きたい視聴者の両方の便宜に対応して、映像表示の有無を個々のＴＶ受像機で任意に設定可能にしたものである。
【特許文献１】特開２００４−４８５９０号公報
【発明の開示】
【発明が解決しようとする課題】
【０００３】
ところで、複数のＴＶ受像機を、同じ設定にする必要がある場合が存在する。
たとえばホテルや病院その他の、ＴＶ受像機を多数所有する施設では、宿泊客や患者が入れ替わるごとに個々のＴＶ受像機の設定を元に戻すのは面倒なため、あるいは、ケーブル接続系統の変更を禁止する等の目的で、特定の操作ボタン（例えばメニューボタン）や複数系統の入出力端子等の幾つかを無効にしたい場合がある。
このような無効操作は通常ユーザが容易にできないものを含むため、例えばパーソナルコンピュータ（ＰＣ）を用い、１台ずつ設定を行う必要があり、操作に時間と人手が多くかかる。
【０００４】
図１（Ａ）および図１（Ｂ）に、設定方法の一例を示す。
図１（Ａ）は、設定済みのＴＶ受像機１００Ａから設定情報を読み出す場合を示す。まず、設定済みのＴＶ受像機１００Ａの制御端子にコントロールユニット１０１を介してＰＣ１０２を接続する。コントロールユニット１０１は複数の制御端子から送られる制御信号を、ＰＣ１０２の入力に適合した汎用ケーブルに適合させる変換機能を有する。設定済みＴＶ受像機１００Ａの背面側の、通常ユーザが使用できないような場所に、複数の制御端子が設けられており、この複数の制御端子とコントロールユニット１０１を複数の制御信号ケーブル１０３で接続する。また、コントロールユニット１０１とＰＣ１０２を汎用ケーブル１０４で接続する。そして、ＰＣ１０２の制御により、所定の設定情報ＳＤを、それが設定済みのＴＶ受像機１００ＡからＰＣ１０２に読み出す。このとき読み出す項目はＰＣ１０２の操作で任意に選択できる。読み出した所定の設定情報ＳＤはＰＣ１０２に保存される。
【０００５】
図１（Ｂ）は、他のＴＶ受像機の設定情報を変更する場合を示す。
所定の設定情報ＳＤが保存されているＰＣ１０２およびコントロールユニット１０１を、当該設定情報ＳＤが未設定である他のＴＶ受像機１００Ｂの近くに運び、図１（Ａ）と同様な接続を行う。この状態で、図１（Ｂ）に示すように、ＰＣ１０２の制御により、所定の設定情報ＳＤをＰＣ１０２からコントロールユニット１０１を介して未設定ＴＶ受像機１００Ｂに送り、その既存の設定内容の一部または全部を設定情報ＳＤで置き換える（例えば、上書きコピーする）。これにより、ＴＶ受像機１００ＢはＴＶ受像機１００Ａと、少なくとも所定の設定情報ＳＤについては同じ状態となる。
この設定変更を、他のＴＶ受像機に対しても繰り返し行う。
【０００６】
複数のＴＶ受像機が客室や病室ごとに分かれていると、上述した設定変更方法では、ＴＶ受像機、コントロールユニットおよびＰＣを接続し直したりする必要があるため、手間が多くかかる。
即ち、ＴＶ受像機１００Ａから読み出した設定情報を別のＴＶ受像機１００Ｂにコピーするには、制御信号ケーブル１０３を繋ぎ直す必要がある。ＴＶ受像機１００Ｂが壁に埋め込まれている場合などは、ＴＶ受像機側の、制御信号ケーブル１０３を接続する部分がユーザから隠れるように配置されていることがあるため、一度ＴＶ受像機１００Ｂを設置場所から移動する必要があり、設定情報をコピーするために労力が必要である。
【０００７】
一方、複数のＴＶ受像機の制御端子同士を予めケーブル等により接続しコンピュータ管理により一括して制御することも可能であるが、この方法はケーブルを壁に埋め込む等の費用がかかり、費用対効果の面で実用的でない。
【０００８】
本発明が解決しようとする課題は、設定情報の変更時にコストや手間がかからない映像表示システム、および、映像表示装置を提供することである。また、本発明が解決しようとする他の課題は、コストや手間がかからない映像表示装置の設定変更方法を提供することである。
【課題を解決するための手段】
【０００９】
本発明に係る映像表示システムは、第１および第２の映像表示装置と、前記第１の映像表示装置を無線により遠隔制御する制御端末と、を備え、前記制御端末は、前記映像表示装置の設定情報の送信要求を行う送信要求キーと、前記送信要求キーの操作に応じて前記第１の映像表示装置から送られてくる前記設定情報を受信する無線受信部と、前記設定情報を記憶する記憶部と、情報送信キーと、前記情報送信キーが操作されたときに前記記憶部から読み出された前記設定情報を送信する端末側の無線送信部と、を有し、前記第１の映像表示装置に、前記制御端末からの前記送信要求を受けて前記設定情報を無線により送信する無線送信部を有し、前記第２の映像表示装置は、前記制御端末から送られてくる前記第１の映像表示装置の前記設定情報で既存の設定情報を変更する。
【００１０】
本発明に係る映像表示装置は、表示装置本体と、無線により前記表示装置本体の遠隔制御を行う制御端末と、を備え、前記制御端末は、前記表示装置本体に設定情報の送出要求を行う送信要求キーを有し、前記表示装置本体は、前記設定情報を記憶する記憶部と、前記制御端末からの前記送出要求を受信する無線受信部と、前記送出要求に応じて前記記憶部から読み出される前記設定情報を前記制御端末に送信する無線送信部と、を有する。
【００１１】
本発明に係る他の映像表示装置は、表示装置本体と、無線により前記表示装置本体の遠隔制御を行う制御端末と、を備え、前記表示装置本体は、設定情報を無線により送信する無線送信部を有し、前記制御端末は、前記表示装置本体に前記設定情報の送出要求を行う送信要求キーと、前記送信要求キーの操作に応じて前記表示装置本体から送られてくる前記設定情報を受信する無線受信部と、前記設定情報を記憶する記憶部と、情報送信キーと、前記情報送信キーが操作されたときに前記記憶部から読み出された前記設定情報を送信する端末側の無線送信部と、を有する。
【００１２】
本発明では好適に、前記設定情報は、映像表示に関する機能の制限、音声に関する機能の制限、入出力に関する機能の制限、時間管理に関する機能の制限、メニューの有効と無効に関する制限の何れか一又は複数の制限の情報を含む。
本発明では好適に、前記設定情報は、前記映像表示装置あるいは前記制御端末に備える操作部を操作することによっては変更不可能な情報を含む。
【００１３】
上記構成によれば、（第１の）映像表示装置および他の（第２の）映像表示装置が無線による送受信が可能である。第１の映像表示装置に設定されている設定情報を無線により制御端末に送信する。この送信は、制御端末からの送信要求キーの操作により発せられる送信要求に基づいて行われ、制御端末は、送信されてきた設定情報を一旦、内部の記憶部に保存する。そして、制御端末は、その情報送信キーが操作されると、保存している設定情報を第２の映像表示装置に対して送信する。当該第２の映像表示装置は、その既存の設定情報を、送信されてきた設定情報で例えば書き換える（例えば、上書きコピーする）ことにより、既存の設定情報を第１の映像表示装置と同じ内容に変更する。
【００１４】
本発明に係る映像表示装置の設定変更方法は、一の映像表示装置の本体が設定情報を送信することを、無線により要求するステップと、前記送信の要求に応じ前記本体から送信される設定情報を受信し、受信側で保持するステップと、保持された前記設定情報により、前記一の映像表示装置以外の一または複数の他の映像表示装置の本体の設定情報を変更するステップと、を含む。
【００１５】
この方法では、無線により要求があると、一の映像表示装置の本体が、その設定情報を送信する。送信されてきた設定情報は、例えば他の映像表示装置、その他の無線通信の機能がある部分に保持され、この保持された設定情報により、前記一の映像表示装置以外の他の一または複数の映像表示装置の本体の設定情報を変更する。
【発明の効果】
【００１６】
本発明によれば、設定情報の変更時にコストや手間がかからない映像表示システム、および、映像表示装置を提供することができる。また、コストや手間がかからない映像表示装置の設定変更方法を提供することができる。
【発明を実施するための最良の形態】
【００１７】
本実施形態に関わる映像表示システムは、複数（少なくとも２台）の映像表示装置と、複数の映像表示装置の何れかを遠隔制御するための制御端末とを有する。また、本実施形態に関わる映像表示装置は、映像表示装置本体と、その制御端末とを有する。
以下、映像表示装置が２台、即ち第１および第２の映像表示装置を備え、第１の映像表示装置に制御端末としてリモートコントローラを備える場合を例として、本実施形態を、図面を参照して説明する。
【００１８】
図２は第１の映像表示装置（本体）１のブロック図である。なお、第２の映像表示装置（本体）２も、この図２と同じ構成を有する。
図解する第１の映像表示装置１は、表示部１１、記憶部１２、無線受信部１３、無線送信部１４、入出力インターフェース（Ｉ／Ｏ）１５、制御信号入出力部１６、および、これらの各部を制御する制御部１７を備える。
図２では制御部１７以外の各部が、制御部１７に直接接続されているが、各部をバスを介して制御部１７に接続してもよい。また、映像または音声の処理回路、電源部、音声出力部、操作部等は図示を省略している。さらに、当該第１の映像表示装置１がＴＶ受信機である場合の、チューナ部とその受信信号の処理回路も図示を省略している。
なお、映像表示装置についてＴＶ受信機能の有無は問わない。例えば展示会場等に多数設置される映像表示装置は、ＴＶ受信機能を持たない映像モニタであることもあり、その場合も本発明が適用できる。
【００１９】
本実施形態において制御端末がリモートコントローラであるため、無線受信部１３および無線送信部１４は赤外線通信に対応する。
無線受信部１３は、赤外光を受光する受光素子を含む。通常の遠隔操作の場合、当該遠隔操作のための赤外線通信規格により決められたコード（電気信号）により赤外光が変調されリモートコントローラから当該無線受信部１３に送られる。この赤外光を受光素子が受光すると、受光素子における光電変換により変調前の元の電気信号が取り出される。制御部１７またはその他の部分でコードが解読されて制御指令が判別される。これにより制御部１７に当該第１の映像表示装置１の制御指令が与えられ、この制御指令に基づいて制御部１７が、各部を制御する。
無線送信部１４は、本実施形態で第１の映像表示装置１がリモートコントローラとの双方向通信を行うために設けられている。無線送信部１４は、赤外光の発光素子（光変調素子）とその制御回路を含む。発光素子からは、電気信号により変調された赤外光が発せられる。
上記無線受信部１３および無線送信部１４は、制御指令（コマンド）の他に、データ（設定情報等）の送受信が可能である。設定情報については後述する。
【００２０】
表示部１１は、ＣＲＴ、液晶パネル等の表示デバイスと、その駆動回路を含む。表示部１１の映像調整、即ち、明るさ調整、色合い等の色調整、有効表示領域の縦横比の変更などは、不図示の映像処理回路を制御部１７が制御することにより実行できる。この実行指示は、後述するリモートコントローラまたは装置本体の操作部をユーザが操作することにより、制御部１７に与えられる。
【００２１】
記憶部１２は、設定情報その他のデータを保持する書き換え可能なメモリである。なお、記憶部１２に書き換え可能なメモリ（ＲＡＭ等）と読み出し専用メモリ（ＲＯＭ等）を含む場合、設定情報は書き換え可能なメモリに保存される。
【００２２】
入出力インターフェース１５は、映像、音声等を入力または出力可能な、複数系統（ここでは５系統）の入出力端子１５Ａを有する。入出力端子１５Ａから入力された映像または音声の信号は、制御部１７の制御を受けて不図示の処理回路で処理され、映像表示、音声出力に供せられる。また、入出力端子１５Ａから、内部の映像・音声源（例えばチューナ処理回路）からの映像または音声の信号を外部に出力できる。さらに入出力インターフェース１５から入力した信号を、中継のために外部に出力することもできる。
【００２３】
制御信号入出力部１６は、当該第１の映像表示装置１の出荷調整時やメンテナンス時に制御信号を入出力するために設けられている。制御信号入出力部１６は、例えば、第１の映像表示装置１の筐体の背面側で、ねじ止めされた蓋を外す場合のみ露出可能になっている。このためユーザは、制御信号入出力部１６の制御端子１６Ａへのアクセスが容易にできない。
【００２４】
図３に、リモートコントローラ３のブロック図を示す。
図解するリモートコントローラ３は、記憶部３１、無線受信部３２、無線送信部３３、送信要求キー３４、情報送信キー３５、および、これらの各部を制御する制御部３６を備える。
図３では制御部３６以外の各部が、制御部３６に直接接続されているが、各部をバスを介して制御部３６に接続してもよい。また、電源部、ならびに、送信要求キー３４と情報送信キー３５以外の操作キー等は図示を省略している。
【００２５】
無線受信部３２は図２の無線受信部１３と、無線送信部３３は図２の無線送信部１４と、それぞれ同じように構成されているため、ここでの説明を省略する。
記憶部３１は、設定情報その他のデータを保持する書き換え可能なメモリである。なお、記憶部３１に書き換え可能なメモリ（ＲＡＭ等）と読み出し専用メモリ（ＲＯＭ等）を含む場合、設定情報は書き換え可能なメモリに保存される。
【００２６】
送信要求キー３４は、設定情報の送信要求を送信したいときにユーザによって操作される操作部の一種である。
情報送信キー３５は、上記送信要求に応答して図２に示す第１の映像表示装置１が設定情報を送信し、これが記憶部３１に記憶された後に、ユーザによって操作される操作部の一種である。
送信要求キー３４および情報送信キー３５は、ボタンやスライドスイッチ等、キーの形態は問わない。また、リモートコントローラ３に表示画面を有する場合、そのタッチパネル上のボタンであってもよい。
【００２７】
本実施形態において、設定情報には、ユーザによる変更が可能なものと、ユーザによる変更が不可能なものの双方を含む。
前者のユーザ変更が可能な設定情報としては、上述した映像表示に関する設定情報（色調整等の設定データ）、音声に関する設定情報（音量、音質等）、チャネル番号設定、時間設定（現在の時刻、タイマの時間とそのオンとオフ）等、通常のメニュー画面で変更可能なものすべてを含む。
【００２８】
また、ユーザ変更が不可能な設定情報としては、メニュー操作を無効にする制限、入出力端子１５Ａの幾つかを無効にする制限、音声調整範囲の制限（特に最大音量の制限）、電源オン時の音量の設定等を含む。
メニュー操作を無効とするのは、例えばホテルや病院等で、ユーザとしての宿泊客や患者が入れ替わったときに、前のユーザによる極端な色調整が行われ、あるいは画面の縦横比の変更が行われている場合があると苦情が発生するため、色調整等は初期設定のまま変更できないようにする要請に基づく。
また、入出力端子１５Ａの幾つかを無効にするのは、病院等では、例えば、ＴＶ放映時間を決めて患者がＴＶを見過ぎないようにする配慮がなされることがあるが、その場合でもＡＶ機器を無断で持ち込んで鑑賞できないようにするためである。また、ホテルでは映像・音声ソースが入力できる端子を１系統に限定することにより、入力が勝手に変えられるのを防止する等の理由により、入出力系統の制限を行う。
さらに、最大音量を制限して他の客や患者への迷惑とならないようにする必要もある。また、第１の映像表示装置１が「電源オフ時の音量を保存して、次の電源オン時に保存した音量で音声を出力する」という仕様になっている場合、前の宿泊客や患者の操作によっては、電源オン時に大音量が出ることがある。これを防止するために、電源オン時には常に適切な所定音量に制限する必要もある。
【００２９】
次に、上述した映像表示システム（第１の映像表示装置１、第２の映像表示装置２およびリモートコントローラ３）における設定変更動作を、図４〜図６を用いて説明する。
まず、図に表れていない動作として、第１の映像表示装置１を、第２の映像表示装置２にコピーして反映すべき設定にする必要がある（事前設定）。この第１の映像表示装置１の設定情報に、前述したユーザ変更が不可能なものを含む場合、事前設定は、前述した図１のようにコントロールユニット１０１とＰＣ１０２等を用いて、図２の制御信号入出力部１６から設定情報を変更する必要がある。
【００３０】
ここで設定変更の具体的な方法の例を説明する。ここで説明する方法は、あくまでも一例であり、他の方法の採用も可能である。
図２に示す記憶部１２の所定領域が、第２の映像表示装置２に反映すべき情報の記憶領域であるとする。この記憶領域に記憶されている設定情報は、前述した種々の設定に関する情報のうち特定のものに限定できる。この制御は、例えば、第１の映像表示装置１について、予め、図２の制御信号入出力部１６を介して外部からＰＣ１０２等で選別できる。
【００３１】
以下、事前設定において第１の映像表示装置１内の記憶部１２の所定領域に記憶され、リモートコントローラ３に送信する予定の設定情報を“所定の設定情報”という。所定の設定情報は、前述したユーザ変更が可能な特定情報のみ、ユーザ変更が不可能な特定情報のみ、あるいは、その両方を含む、という３つのケースがあるが、本実施形態では、所望の特定情報の種類は第１の映像表示装置１に事前に設定された事前設定内容で決まるため、そのどのケースでもよい。
【００３２】
記憶部１２の所定領域に新たに情報が記憶され、あるいは既に記憶されている情報が書き換えられた（例えば、上書きされた）時点で、自動的に、第１の映像表示装置１の設定に反映される。制御部１７は、この所定領域内の情報に変更があると、新たな情報に基づいて表示部１１に送る映像信号または音声信号を処理する処理回路に映像調整や音量調整の制限等を加え、あるいは、入出力インターフェース１５の一部の入出力端子１５Ａを無効にするなど、情報の種類に応じた設定（多くの場合は機能の制限）の変更を行う。
この自動的に行われる設定の反映の仕方自身は、上記事前設定と、所定の設定情報を第２の映像表示装置２にコピーするコピー設定では同じである。
【００３３】
図４（Ａ）は、第１の映像表示装置１とリモートコントローラ３との通信（情報読み出し動作のための通信）を示し、図４（Ｂ）は、コピー設定のための、リモートコントローラ３から第２の映像表示装置２への送信を示す。
図５は情報読み出し動作に関するフローチャートであり、同図（Ａ）はリモートコントローラ３の動作、同図（Ｂ）は第１の映像表示装置１の動作を示す。
図６は、図５に続くコピー設定動作に関するフローチャートであり、同図（Ａ）はリモートコントローラ３の動作、同図（Ｂ）は第２の映像表示装置２の動作を示す。
【００３４】
図４に示すように、リモートコントローラ３には、ボタン形式の送信要求キー３４と情報送信キー３５が配置されている。また、他の操作キー３７や電源ボタン３８もリモートコントローラ３に配置されている。
一方、第１の映像表示装置１（図４（Ａ））、第２の映像表示装置２（図４（Ｂ））の各々は、その前面に無線受信部１３の一部と、無線送信部１４の一部が表出して赤外光の受光窓と出射窓が形成されている。
【００３５】
まず、図４（Ａ）および図５を用いて、情報読み出し動作における、第１の映像表示装置１とリモートコントローラ３の通信について説明する。
リモートコントローラ３の送信要求キー３４がユーザによって操作される（ステップＳＴ３１）と、図３に示す制御部３６が送信要求信号ＴＲを発生し、または、記憶部３１から送信要求信号ＴＲを読み出して、無線送信部３３に送る。無線送信部３３は、送信要求信号ＴＲ（電気信号）により変調された赤外光を発光する。
赤外光（送信要求信号ＴＲ）は、図４（Ａ）および図５に示す破線のように、リモートコントローラ３から第１の映像表示装置１に送られる（ステップＳＴ３２）。
【００３６】
第１の映像表示装置１は、送信要求信号ＴＲの受信を常時監視している（ステップＳＴ１１）。ステップＳＴ１１の判断が「Ｙ」の場合のみ処理フローが次のステップに進み、「Ｎ」の場合はステップＳＴ１１で受信待ちの状態となる。
送信要求信号ＴＲを図２の無線受信部１３が受信すると（ステップＳＴ１２）、当該無線受信部１３が赤外光から電気信号（送信要求信号ＴＲ）を取り出し、送信要求信号ＴＲを図２の制御部１７に送る。制御部１７は、送信要求信号ＴＲが入力されると、記憶部１２の前記した所定領域に記憶されている“所定の設定情報ＳＤ”を読み出す。
【００３７】
そして、次のステップＳＴ１４にて、読み出した“所望の所定情報ＳＤ”を図２の無線送信部１４で赤外光に変換して、図４（Ａ）および図５に実線で示すようにリモートコントローラ３に送信する。
【００３８】
リモートコントローラ３は、ステップＳＴ３２で送信要求信号ＴＲを送信した後、所定の設定情報ＳＤの受信を常時監視している（ステップＳＴ３３）。ステップＳＴ３３の判断が「Ｙ」の場合のみ処理フローが次のステップに進み、「Ｎ」の場合はステップＳＴ３３で受信待ちの状態となる。
所定の設定情報ＳＤを図３の無線受信部３２が受信すると（ステップＳＴ３３が「Ｙ」となると）、無線受信部３２は、所定の設定情報ＳＤを制御部３６に送る。
制御部３６は、所定の設定情報ＳＤを解析し（ステップＳＴ３４）、記憶部３１に記憶させる（ステップＳＴ３５）。
【００３９】
なお、ステップＳＴ３４の解析は、受信した所定の設定情報ＳＤをそのまま記憶部３１に記憶させる場合は不要としてもよいが、例えば、以下の場合に解析が必要である。
所定の設定情報ＳＤには、第１の映像表示装置１の設定に関する情報に限らず、その付属品であるリモートコントローラ３の設定に関するものを含む場合がある。例えば、メニューを無効とする設定情報が所定の設定情報ＳＤに含まれる場合は、この設定情報を第１の映像表示装置１のみに限らず、リモートコントローラ３にも反映させることが可能である。その場合、解析の結果得られたリモートコントローラ３に反映すべき設定情報をコピーして、記憶部３１の所定領域に格納する。この所定領域に情報が格納されると、図２の記憶部１２と同様に、その情報に基づく設定が自動的に行われる。よって、以後、リモートコントローラ３のメニュー操作は無効となる。本実施形態では、メニュー操作を無効としても、当該設定変更に必要な送信要求キー３４と情報送信キー３５はボタンとして配置されているので支障がない。
【００４０】
送信されてきた所定の設定情報ＳＤが、図３に示す記憶部３１に記憶されると、図５の情報読み出し動作が終了する。
【００４１】
次に、図４（Ｂ）および図６を用いて、コピー設定動作のための、リモートコントローラ３からの第２の映像表示装置２への送信について説明する。
リモートコントローラ３の情報送信キー３５がユーザによって操作される（ステップＳＴ３６）と、図３に示す制御部３６が、記憶部３１から所定の設定情報ＳＤを読み出し（ステップＳＴ３７）、無線送信部３３に送る。無線送信部３３は、所定の設定情報ＳＤ（電気信号）により変調された赤外光を発光する。
赤外光（所定の設定情報ＳＤ）は、図４（Ｂ）および図６に示す実線のように、リモートコントローラ３から第２の映像表示装置２に送られる（ステップＳＴ３８）。
【００４２】
第２の映像表示装置２は、所定の設定情報ＳＤの受信を常時監視している（ステップＳＴ２１）。ステップＳＴ２１の判断が「Ｙ」の場合のみ処理フローが次のステップに進み、「Ｎ」の場合はステップＳＴ２１で受信待ちの状態となる。
【００４３】
第２の映像表示装置２は、図２に示す第１の映像表示装置１と同じ構成を有する。よって、以後、第２の映像表示装置２内の各部も図２と同じ符号を用いて表記する。
第２の映像表示装置２内の無線受信部１３が、所定の設定情報ＳＤを受信すると（ステップＳＴ２１の判断が「Ｙ」となると）、当該無線受信部１３が赤外光から電気信号（所定の設定情報ＳＤ）を取り出し、送信要求信号ＴＲを制御部１７に送る。制御部１７は、入力した所定の設定情報ＳＤを解析し（ステップＳＴ２２）、記憶部１２の所定領域に記憶させる（ステップＳＴ２３）。この記憶により、記憶部１２に新たに所定の設定情報ＳＤが書き込まれ、あるいは、既存の情報が書き換えられ（例えば、上書きされ）、これにより当該第２の映像表示装置２の設定に反映されてコピー設定が完了する。
【００４４】
このコピー設定は、第１の映像表示装置１と同じ設定にしたい他の映像表示装置がある場合、それらの映像表示装置に対しても、上述した方法を繰り返すことによって実施される。
以上より、複数の映像表示装置を、同じ設定にする必要がある状況、例えばホテルの各部屋に設置するＴＶ受像機を同じ設定にして、宿泊客が使用可能な項目を制限する設定を行うことや、複数のＴＶ受像機を並べ同じ設定にする必要がある場合などにおいて、無線を用いたリモートコントローラ３からの簡単な操作（実質的には情報送信キー３５の操作のみ）で、次々に、同じ設定を異なる映像表示装置にコピーできる。そのため、図１の方法と比較すると、配線や映像表示装置を動かす労力、ＰＣ１０２を操作する手間が省け、設定変更が大幅に容易になる。
【００４５】
ホテル、病院、展示会場に限らず、デパートなどの大型店舗やスポーツ施設等、様々な用途での多数の映像表示装置の設定変更に本発明を適用できる。設定情報は前述した種々の例に限らず、その用途に応じて、変更し選択できる。
【００４６】
以上は無線端末がリモートコントローラ３の場合で説明したが、赤外線通信以外の大容量が送れる空間光通信、あるいは、電波による無線通信（例えば無線ＬＡＮ等）を利用したものでもよい。空間光通信の場合は無線端末と映像表示装置との通信路に遮るものがないように注意が必要であるが、電波の場合、映像表示装置自身に電波通信の送受信機能を有することから、第１の映像表示装置１と第２の映像表示装置２が無線端末を介さずに直接、所定の設定情報ＳＤの送信を行ってもよい。
無線端末を用い、無線端末に一旦所定の設定情報ＳＤを保存する場合に送信要求信号ＴＲの送信を行ったが、映像表示装置同士が所定の設定情報ＳＤを送受信する場合、送信先を指定して、ある映像表示装置から他の映像表示装置に所定の設定情報ＳＤを送り、その受信先の映像表示装置で、所定の設定情報ＳＤを保存すればよい。
設定を反映させる方法は、前述した、記憶部の所定領域に記憶するだけで設定が自動反映される方法に限定されない。
【００４７】
上記説明では設定情報のコピー元となる映像表示装置は第１の映像表示装置１、一台であったが、異なる設定にした複数の映像表示装置から、各設定を別々に、複数の映像表示装置にコピー設定してもよい。
さらに、無線端末にＰＣ接続機能がある場合、無線端末にパーソナルコンピュータを接続して事前設定を当該無線端末の記憶部に対して行ってもよい。その場合、図１に示す方法のように、映像表示装置を動かして背面の制御端子への接続が不要なため、より労力が軽減される。この場合、異なる設定情報を複数の無線端末へ入力することが容易であり、上記設定を別々に複数の映像表示装置にコピー設定する場合に、特に適している。例えば、あるリモートコントローラに第１の設定を行い、他のリモートコントローラに第１の設定とは異なる第２の設定を行い、例えば１００台ある映像表示装置の半分に第１の設定をコピーし、残りの半分に第２の設定をコピーすることも容易に実施できる。
その他、本発明を逸脱しない範囲で種々の変更が可能である。
【図面の簡単な説明】
【００４８】
【図１】（Ａ）および（Ｂ）は、背景技術の設定方法の説明図である。
【図２】本実施形態に関わる第１（および第２）の映像表示装置のブロック図である。
【図３】本実施形態に関わるリモートコントローラのブロック図である。
【図４】（Ａ）は情報読み出し動作時の通信の説明図、（Ｂ）はコピー設定のための送信の説明図である。
【図５】情報読み出し動作におけるリモートコントローラ側（Ａ）と、第１の映像表示装置側（Ｂ）のフローチャートである。
【図６】コピー設定時におけるリモートコントローラ側（Ａ）と、第２の映像表示装置側（Ｂ）のフローチャートである。
【符号の説明】
【００４９】
１…第１の映像表示装置、１１…表示部、１２…記憶部、１３…無線受信部、１４…無線送信部、１５…入出力インターフェース、１５Ａ…入出力端子、１６…制御信号入出力部、１６Ａ…制御端子、２…第２の映像表示装置、３…リモートコントローラ、３１…記憶部、３２…無線受信部、３３…無線送信部、３４…送信要求キー、３５…情報送信キー、３６…制御部、ＴＲ…送信要求信号、ＳＤ…所定の設定情報
【図１】
2008085523.tif 000003
【図２】
2008085523.tif 000004
【図３】
2008085523.tif 000005
【図４】
2008085523.tif 000006
【図５】
2008085523.tif 000007
【図６】
2008085523.tif 000008